(57)【要約】【課題】鋸刃と切断箇所との周囲を正確に照明することはできるようにする。【解決手段】鋸柄２の前側２Ｆに鋸刃３を形成した鋸本体４を連結し、鋸刃３側に光の向きを向けた電気式の光源５を一体に設ける。光源５は電池８、スイッチが収納されるケース７に設けられる。そして、光源５の中心軸線６が隣接する鋸刃３の先端３Ａ相互を接続する鋸本体４の一直線状の縁12に下向きに交差するようにしている。したがって、作業環境が暗い場合であっても、被切断物13の切断箇所を照明できる。また、光源５は鋸１に設けられているので、被切断物13の切断箇所を正確に照明することができる。さらに、光源５の中心軸線６が縁12に下向きに交差することで、鋸刃３、ひいては切断箇所をいっそう確実に照明することができる。【選択図】図１
0003166238.tif 000002
【実用新案登録請求の範囲】
【請求項１】
鋸刃を形成した鋸本体を鋸柄の前側に連結した鋸において、前記鋸刃側に光の向きを向けた電気式の光源を一体に設けたことを特徴とする照明付き手動用鋸。
【請求項２】
前記光源を前記鋸柄の前端側に設けたことを特徴とする請求項１記載の照明付き手動用鋸。
【請求項３】
前記光源を収容するケースに電池及びスイッチが一体的に設けられ、前記ケースを前記鋸柄に装着することを特徴とする請求項１又は２記載の照明付き手動用鋸。
【請求項４】
隣接する前記鋸刃の先端相互を接続する前記鋸本体の一直線状の縁又はその縁の延長線に対して、前記光源の中心軸線が下向きに交差することを特徴とする請求項１〜３のいずれか１項に記載の照明付き手動用鋸。
【請求項５】
隣接する前記鋸刃の先端相互を接続する前記鋸本体の一直線状の縁と、前記光源の中心軸線とが同軸状であることを特徴とする請求項１〜３のいずれか１項に記載の照明付き手動用鋸。
【考案の詳細な説明】
【技術分野】
【０００１】
本考案は、照明付き手動用鋸に関するものである。
【背景技術】
【０００２】
従来、手びき鋸などの手動用鋸は、鋸柄の先端に鋸刃を形成した鋸身などとも称せられる鋸本体を連結したものであり、鋸柄を握った状態で鋸本体を被切断物に当てて切断するものである。
【先行技術文献】
【特許文献】
【０００３】
【特許文献１】実用新案登録第３１５７９８８号公報
【考案の概要】
【考案が解決しようとする課題】
【０００４】
しかし、従来技術においては、作業環境が暗い場合、被切断物の切断箇所に対する鋸刃の位置決めが困難になり、正確に切断ができなくなってします。
【０００５】
このためには、懐中電灯や電灯などの照明装置により作業環境を照明すればよいが、懐中電灯や電灯などの照明装置は、鋸とは別体であるため、鋸刃と切断箇所との周囲を正確に照明することはできないという問題がある。
【０００６】
解決しようとする問題点は、鋸刃と切断箇所との周囲を正確に照明することができるようにする点である。
【課題を解決するための手段】
【０００７】
請求項１の照明付き手動用鋸は、鋸刃を形成した鋸本体を鋸柄の前側に連結した鋸において、前記鋸刃側に光の向きを向けた電気式の光源を一体に設けたことを特徴とする。
【０００８】
請求項２の照明付き手動用鋸は、前記光源を前記鋸柄の前端側に設けたことを特徴とする。
【０００９】
請求項３の照明付き手動用鋸は、前記光源を収容するケースに電池及びスイッチが一体的に設けられ、前記ケースを前記鋸柄に装着することを特徴とする。
【００１０】
請求項４の照明付き手動用鋸は、隣接する前記鋸刃の先端相互を接続する前記鋸本体の一直線状の縁に対して、前記光源の中心軸線が下向きに交差することを特徴とする。
【００１１】
請求項５の照明付き手動用鋸は、隣接する前記鋸刃の先端相互を接続する前記鋸本体の一直線状の縁と、前記光源の中心軸線とが同軸状であることを特徴とする。
【考案の効果】
【００１２】
請求項１の考案によれば、光源によって被切断物の切断箇所を正確に照明することができる。
【００１３】
請求項２の考案によれば、鋸柄を握った手で光がさえぎられることはなく正確に照明することができる。
【００１４】
請求項３の考案によれば、光源、電池、スイッチをまとめて鋸に配置することができる。
【００１５】
請求項４の考案によれば、下向きの照明によって切断箇所をいっそう確実に照明することができる。
【００１６】
請求項５の考案によれば、光源の中心軸線を鋸刃の先端相互を接続する鋸本体の一直線状の縁と同軸状に配置することで切断箇所をいっそう確実に照明することができる。
【図面の簡単な説明】
【００１７】
【図１】本考案の第１実施例を示す斜視図である。
【図２】本考案の第２実施例を示す斜視図である。
【図３】本考案の第２実施例を示す斜視図である。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
図１は実施例１を示しており、鋸１は鋸柄２の前側２Ｆに、鋸刃３を連続形成した鋸本体４の後端を連結したものである。そして、鋸柄２の前側２Ｆに白色発光ダイオード（ＬＥＤ）や豆電球などの電気式の光源５を設けると共に、この光源５の向き、すなわち光源５の中心軸線６を鋸刃３側に向けている。
【００２０】
そして、円筒形のケース７の前側に光源５が収納され、このケース７には光源５に給電するための電池８、さらに光源５と電池８との間に介在するスイッチ（図示せず）が設けられている。実施例ではケース７が前後に二分割されており、その前部側がスイッチ操作部９となって、周方向に沿って回動することで、スイッチを開閉できるようになっている。このケース７の後部７Ｂ側に後ろ向きに突設した取り付け板部10をビス11やボルトなどの固定手段により鋸柄２に固定している。
【００２１】
このケース７の鋸柄２への固定にあっては、光源５の光の向き、すなわち光源５の中心軸線６を、隣接する鋸刃３の先端３Ａ相互を接続する鋸本体４の一直線状の縁12に、鋸柄２の長手方向を基準として下向き角度Ａを有する下向きに交差するように設けている。尚、図中12Ａは縁12の延長線を示しており、この延長線12Ａに光源５の中心軸線６が交差するようにしてもよい。
【００２２】
次に前記構成についてその作用を説明する。予めスイッチ操作部９を回してスイッチをＯＮすることで、電池８より通電されて光源５が発光し、その照明方向は光源５の中心軸線６に沿ってなされる。そして鋸柄２を握って鋸本体４を被切断物13に当て、鋸本体４を前後に移動することで、切断を行うことができる。この際、光源５の中心軸線６が縁12に下向きに交差するようにしたことで、被切断物13の上面側を照明して切断を行うことができる。
【００２３】
以上のように、前記実施例では請求項１に対応して、鋸柄２の前側２Ｆに鋸刃３を形成した鋸本体４を連結し、鋸刃３側に光の向きを向けた電気式の光源５を一体に設けたことにより、作業環境が暗い場合であっても、被切断物13の切断箇所を照明できると共に、光源５は鋸１に設けられているので、被切断物13の切断箇所を正確に照明することができる。
【００２４】
また、請求項２に対応して光源５を鋸柄２の前側２Ｆに設けたことによって、鋸柄２を握った手で光がさえぎられることはなく正確に照明することができる。
【００２５】
さらに、請求項３に対応して光源５を収納するケース７に電池８及びスイッチが一体的に設けられることで、光源５、電池８、スイッチをまとめて鋸１に配置することができる。また、ケース７を鋸柄２に固定手段であるビス11を介して固定することで、光源５を確実に取り付けることができる。
【００２６】
しかも、請求項４に対応して隣接する鋸刃３の先端３Ａ相互を接続する鋸本体４の一直線状の縁12に、光源５の中心軸線６が下向きに交差するようにしたことで、鋸刃３、ひいては切断箇所をいっそう確実に照明することができる。
【実施例２】
【００２７】
図２に示す実施例２は前記実施例１と同一部分には同一符号を付し、その詳細な説明を省略する。実施例２においては、光源５´、電池８´を収納し、前側にスイッチ操作部９´を有するケース７´を、ブラケットなどとも称する取り付け座14を介して固定手段である接着層15によって固定したものである。
【００２８】
そして、取り付け座14を介して設けられた光源５´の光の方向、すなわち光源５´の中心軸線６´は、隣接する鋸刃３´の先端３Ａ´相互を接続する鋸本体４´の一直線状の縁12´と同軸状に設けられている。
【００２９】
したがって、請求項５に対応して、光源５´の中心軸線６´を鋸本体４´の一直線状の縁12´と同軸状に設けたことで、縁12´側を光源５´で照明することで、被切断物13´の切断箇所を正確に視認することができる。この際、光源５´の中心軸線６´が縁12´と同軸状にしたことで、被切断物13´の切断箇所を照明して切断を行うことができる。
【実施例３】
【００３０】
図３に示す実施例３では、ケース７´をクリップ手段16により鋸柄２に着脱自在に装着したものであり、例えば横挽きの一方の鋸刃３´を使うときは、図３の実線で示した状態に装着し、一方、縦挽きの他方の鋸刃３´´を使うときは、クリップ手段16を反対向きに装着して図３の一点鎖線で示した状態に装着するようにしてもよい。
【００３１】
したがって、請求項５に対応して、光源５´の中心軸線６´を鋸本体４´の一直線状の縁12´と同軸状に設けたことで、被切断物13´の切断箇所を正確に視認することができる。
【産業上の利用可能性】
【００３２】
以上のように本考案にかかる照明付き手動用鋸は、各種の用途に適用できる。
【符号の説明】
【００３３】
２  鋸柄
２Ｆ  前側
３  ３´  鋸刃
３Ａ  ３Ａ´  先端
４  ４´  鋸本体
５  ５´  光源
６  ６´  中心軸線
７  ７´  ケース
８  ８´  電池
11  ビス（固定手段）
12  12´  縁
15  接着層（固定手段）
Ａ  下向き角度
【図１】
0003166238.tif 000003
【図２】
0003166238.tif 000004
【図３】
0003166238.tif 000005